(57)【要約】【課題】遊技球流下領域の広さを確保しつつ、電飾用遊技部品の後方の遊技球流下領域を流下する遊技球を視認可能にし、遊技の興趣を確保すること。【解決手段】パチンコ遊技機は、片面８aに光源７を配置した電飾基板８と、電飾基板８の光源配置面８aを前方より被覆する透光性レンズ部材９とを一体に取着した電飾用遊技部品６を備える。電飾用遊技部品６を遊技盤１に設置した際、電飾用遊技部品６の後方に遊技球通路部材２４が配置される。レンズ部材９側では電飾基板８上の実装部品７，１０と対峙する位置を避けた領域に、かつ、電飾基板８側ではプリント配線位置を避けた領域に、各々貫通孔１２，１１を設け、さらに、遊技球通路部材２４に貫通孔２６を設け、貫通孔１２，１１，２６を介して遊技球通路部材２４内を流下する遊技球を視認可能にする。【選択図】図４
2007000180.tif 000002
【特許請求の範囲】
【請求項１】
片面に光源を配置した電飾基板と、該電飾基板の光源配置面を前方より被覆する透光性レンズ部材とを一体に取着した電飾用遊技部品を備え、該電飾用遊技部品を遊技盤に設置した際、該電飾用遊技部品の後方に遊技球流下領域が形成されるパチンコ遊技機において、
前記レンズ部材側では前記電飾基板上の実装部品と対峙する位置を避けた領域に、かつ、電飾基板側ではプリント配線位置を避けた領域に、前記遊技球流下領域を流下する遊技球を視認可能にする貫通孔を各々設けたことを特徴とするパチンコ遊技機。
【発明の詳細な説明】
【技術分野】
【０００１】
本発明は、パチンコ遊技機、詳しくは、電飾用遊技部品の後方に遊技球流下領域が配置されたパチンコ遊技機に関する。
【背景技術】
【０００２】
近年、光源が配置された電飾基板と、光源に対峙するレンズ部材とを一体に構成した電飾用遊技部品を遊技盤に取着したパチンコ遊技機が主流となっている（例えば特許文献１参照）。
【０００３】
このような電飾用遊技部品は、通常、遊技球流下領域と同程度の高さ寸法を有して遊技盤に配設されており、電飾用遊技部品によって遊技盤の遊技球流下領域が狭くなり、遊技球の動きを楽しむといったパチンコ遊技機本来の興趣を低減させている。
【０００４】
そこで、遊技球流下領域の広さを確保することを目的として、電飾用遊技部品と遊技球流下領域の配置位置を高さ方向において異ならせ、電飾用遊技部品の後方に遊技球流下領域を配置する構成を採用したパチンコ遊技機が知られている。
【特許文献１】特開２００３−１９０４０４公報
【発明の開示】
【発明が解決しようとする課題】
【０００５】
しかし、上記従来のパチンコ遊技機によると、遊技球流下領域を流下する遊技球が電飾用遊技部品によって視認困難になり、遊技の興趣に欠けるという問題が発生する。
【０００６】
本発明は、上記のような従来技術の問題点を解決し、遊技球流下領域の広さを確保しつつ電飾用遊技部品の後方の遊技球流下領域を流下する遊技球を視認することが可能なパチンコ遊技機を提供することを目的とする。
【課題を解決するための手段】
【０００７】
本発明のパチンコ遊技機は、片面に光源を配置した電飾基板と、該電飾基板の光源配置面を前方より被覆する透光性レンズ部材とを一体に取着した電飾用遊技部品を備え、該電飾用遊技部品を遊技盤に設置した際、該電飾用遊技部品の後方に遊技球流下領域が形成されるパチンコ遊技機において、前記レンズ部材側では前記電飾基板上の実装部品と対峙する位置を避けた領域に、かつ、電飾基板側ではプリント配線位置を避けた領域に、前記遊技球流下領域を流下する遊技球を視認可能にする貫通孔を各々設けたことを特徴とする。
【０００８】
本発明のパチンコ遊技機によると、電飾用遊技部品の後方に遊技球流下領域を配置したため、遊技球流下領域の広さを確保することができる。さらに、電飾用遊技部品の後方の遊技球流下領域を流下する遊技球は、レンズ部材の貫通孔及び電飾基板の貫通孔を介して視認することができるため、遊技の興趣を確保することができる。
【発明を実施するための最良の形態】
【０００９】
以下、本発明の実施形態を図面に基づいて説明する。
【００１０】
図１は、本発明の一実施形態に係るパチンコ遊技機の遊技盤の概略正面図であって、電飾用遊技部品の光源の位置及び電気配線図を表した図、図２は、同遊技盤の要部の斜視図、図３は、他の実施形態に係る遊技球通路付き電飾用遊技部品の正面図、図４は、図３図示IV-IV断面図、図５は、図３図示V-V断面図、図６は、電飾基板の表面図をそれぞれ示す。
【００１１】
図１及び図２において、遊技盤１は、遊技領域２の中央部に図柄表示装置３を配置し、この図柄表示装置３の表示画面３aの正面視左方及び右方にそれぞれ電飾用遊技部品４，５が配設されている。
【００１２】
各電飾用遊技部品４，５は、図１及び図２に示すように、数字の７を表している。この電飾用遊技部品４，５の高さ寸法は、この電飾用遊技部品４，５に隣接する遊技球流下領域、つまり、遊技球の動きに変化を与える風車や釘などが設けられた遊技領域２、の高さ寸法と同程度とされている。
【００１３】
左方の電飾用遊技部品４は、後述する図３〜図６に示した電飾用遊技部品６と同様に構成されており、片面８aに光源例えばLED７を配置した電飾基板８と、電飾基板８の光源配置面８aを前方より被覆する透光性レンズ部材９とを一体に取着して構成される。また、レンズ部材９には、電飾基板８上の実装部品７，１０等と対峙する位置を避けた領域に貫通孔１１が設けられており、一方、電飾基板８には、プリント配線位置を避けた領域に貫通孔１２が設けられている。これらの貫通孔１１，１２は、遊技盤１の盤面１aに対して略垂直となる１つの仮想直線上に位置しており、これらの貫通孔１１，１２を通して後述する透明チューブ１３内を流下している遊技球を部分的に視認可能にする。なお、貫通孔１１，１２は、現に穿設された孔に限定されるものではなく、前方が視認可能な透明部材で構成されたものも含むものとする。なお、図１において、各種電飾用遊技部品４，５等の光源は点１４で表し、配線は線１５で表している。
【００１４】
左方の電飾用遊技部品４の後方には、遊技球流下領域として透明チューブ（遊技球通路部材）１３が配設されている。この透明チューブ１３の一端は、電飾用遊技部品４の左上方の遊技球流下領域２aに開口し、この開口部１３aから遊技球を導入可能とし、また、他端は、図柄表示装置３の表示画面３aの下方に位置するステージ１６に開口し、透明チューブ１３内を流下してきた遊技球をステージ１６上に放出する。なお、図１中の他の符号１７は、始動入賞口、１８は第１の大入賞口、１９は第２の大入賞口、２０は普通入賞口、２１は誘導レール、２２はアウト口を表している。
【００１５】
上記のように構成された遊技盤１において、電飾用遊技部品４は、遊技状態に応じて内蔵する光源７を点滅させ、レンズ部材９を介して予め設定された光の演出を行う。また、遊技領域２に打球された一部の遊技球は、透明チューブ１３内に進入し、透明チューブ１３内を流下してステージ１６に放出される。透明チューブ１３内を流下中の遊技球は、透明チューブ１３のうち電飾用遊技部品４と重なっていない部分を通過しているときは、透明チューブ１３を介してその動きが遊技者に視認され、一方、透明チューブ１３のうち電飾用遊技部品４と重なった部分を通過しているときは、電飾用遊技部品４の貫通孔１１，１２を介してその動きが遊技者に視認される。したがって、透明チューブ１３内に導入された遊技球は、透明チューブ１３の全域において遊技者によって視認可能となり、遊技者は興趣をもって遊技を行うことができる。
【００１６】
図３〜図６に示す遊技球通路付き電飾用遊技部品２３は、遊技球流下領域としての遊技球通路部材２４の前面に、電飾用遊技部品６を一体に組付けて構成される。
【００１７】
電飾用遊技部品６は、ハウジング２５の内部に電飾基板８を収容、保持し、ハウジング２５の前面に星形の透光性レンズ部材９を複数埋め込んで構成される。
【００１８】
電飾基板８は、プリント配線に、光源としてのLED７、及び、抵抗等の各種チップ１０を実装して構成されている。また、電飾基板８には、プリント配線位置を避けた領域に可視用窓としての貫通孔１２が複数形成されている。LED７は、電飾基板８の片面つまりレンズ部材側の面８aに配置されている。
【００１９】
レンズ部材９には、電飾基板８上のLED７、各種チップ１０等の実装部品と対峙する位置を避けた領域に複数の貫通孔１１が設けられている。各貫通孔１１は、電飾基板８の各貫通孔１２と対峙する位置に設けられている。
【００２０】
遊技球通路部材２４の前面部には、電飾部材８の各貫通孔１２と対峙する位置に貫通孔２６が設けられている。
【００２１】
遊技球通路部材２４の貫通孔２６と、この貫通孔２６に対応する電飾基板８の貫通孔１２と、この貫通孔１２に対応するレンズ部材９の貫通孔１１とを結んだ仮想直線は、電飾基板８に対して略平行な遊技盤１の盤面１aに対して略垂直となっている。したがって、遊技球通路部材２４の内部を通過する遊技球は、上記３つの貫通孔１１，１２，２６を介して視認することができる。
【００２２】
以上説明したように、本実施形態のパチンコ遊技機は、片面８aに光源７を配置した電飾基板８と、電飾基板８の光源配置面８aを前方より被覆する透光性レンズ部材９とを一体に取着した電飾用遊技部品４，６を備え、電飾用遊技部品４，６を遊技盤１に設置した際、電飾用遊技部品４，６の後方に遊技球流下領域１３，２４が形成されるパチンコ遊技機において、レンズ部材９側では電飾基板８上の実装部品７，１０と対峙する位置を避けた領域に、かつ、電飾基板８側ではプリント配線位置を避けた領域に、遊技球流下領域１３，２４を流下する遊技球を視認可能にする貫通孔１１，１２を各々設けた。
【００２３】
このように、電飾用遊技部品４，６の後方に遊技球流下領域１３，２４を配置したため、遊技球流下領域１３，２４の広さを確保することができる。さらに、電飾用遊技部品４，６の後方の遊技球流下領域１３，２４を流下する遊技球は、レンズ部材９の貫通孔１１及び電飾基板８の貫通孔１２を介して視認することができるため、遊技の興趣を確保することができる。
【図面の簡単な説明】
【００２４】
【図１】本発明の一実施形態に係るパチンコ遊技機の遊技盤の概略正面図であって、電飾用遊技部品の光源の位置及び電気配線図を表した図である。
【図２】同遊技盤の要部の斜視図である。
【図３】他の実施形態に係る遊技球通路付き電飾用遊技部品の正面図である。
【図４】図３図示IV-IV断面図である。
【図５】図３図示V-V断面図である。
【図６】電飾基板の表面図である。
【符号の説明】
【００２５】
１    遊技盤
４    電飾用遊技部品
６    電飾用遊技部品
７    LED（光源、実装部品）
８    電飾基板
８a    光源配置面
９    透光性レンズ部材
１０    チップ（実装部品）
１１    貫通孔
１２    貫通孔
１３    透明チューブ（遊技球流下領域）
２４    遊技球通路部材（遊技球流下領域）
２６    貫通孔
【図１】
2007000180.tif 000003
【図２】
2007000180.tif 000004
【図３】
2007000180.tif 000005
【図４】
2007000180.tif 000006
【図５】
2007000180.tif 000007
【図６】
2007000180.tif 000008